(57)【特許請求の範囲】
【請求項１】
係止機構付きスナップファスナであって、
第１生地（Ｐ１）の表面側に取り付ける操作板（４）、バネ（５）、基部（６）と、前記第１生地（Ｐ１）の裏面側に取り付ける支持材（７）とを備えた雌部材（２）と、
第２生地（Ｐ２）の表面側に取り付ける係合突起（８）と前記第２生地（Ｐ２）の裏面側に取り付ける支持材（９）とを備えた雄部材（３）を有し、
前記操作板（４）は、不完全に切り抜かれた押圧片（４２）と、この押圧片（４２）の下側に設けられた押圧突起（４４）を有し、
前記バネ（５）は、内側円弧（５３）が左右に伸び、相互の先端の間に隙間（５４）を残して終端しており、前記押圧突起（４４）の押し下げ圧力により、内側円弧の前記隙間（５４）が拡大され、押し下げ圧力がなくなれば元の形状に復帰するものであり、
前記基部（６）は、前記バネ（５）を収容する空間を有するものにおいて、
前記操作板（４）、前記バネ（５）、前記基部（６）及び前記支持材（７）は、それぞれ合成樹脂により一体成形されており、
前記基部（６）と前記バネ（５）の間が、前記基部（６）の突起（６５）と前記バネ（５）の挿入空間（５７）との接触、及び、前記バネ（５）の外側円弧（５１）と前記基部（６）の円筒（６１）との接触、により位置決めされており、
前記操作板（４）と前記基部（６）の間が前記操作板（４）の突起（４５）と前記基部（６）の窪み（６７）の係合により位置決めされており、
前記基部（６）と前記支持材（７）の間が、前記円筒（６１）のギザギザ部（６６）と前記支持材（７）のギザギザ部（７２）との係合、により位置決めされており、
前記雌部材（２）と前記雄部材（３）を係合させるときには、前記操作板（４）の前記押圧片（４２）を押し下げつつ、前記雄部材（３）を前記雌部材（２）に挿入させ、
前記雌部材（２）と前記雄部材（３）の係合を解除するときには、前記押圧片（４２）の押し下げと前記第１生地（Ｐ１）の持ち上げを同時に行いつつ、前記雌部材（２）と前記雄部材（３）を引き離す
ことを特徴とする係止機構付きスナップファスナ。
【請求項２】
前記バネの内側円弧（５３）の中央付近に切り込み（５２）が設けられてバネ作用を奏しやすくなっている請求項１記載の係止機構付きスナップファスナ。
【請求項３】
前記バネの内側円弧（５３）の両先端（５３１）が上方に向かって外開きとなっている請求項１又は２記載の係止機構付きスナップファスナ。
【請求項４】
硬質プレート（１１）で補強された第１生地（Ｐ１）を有する請求項１〜３のいずれかに記載の係止機構付きスナップファスナ。
【請求項５】
請求項１〜４のいずれかに記載の係止機構付きスナップファスナを開閉部に設けたことを特徴とする痴呆症患者用の衣服。
【発明の詳細な説明】
【技術分野】
【０００１】
本発明は、係止機構が付いていて開放に工夫のいるスナップファスナに関する。本発明は、介護が必要な痴呆症患者の衣服の開閉部用に開発されたものであり、以下の説明もそれに基づいて行うが、用途はこれに限られず、他にもたとえば上タブを備えたポケットを有するカバン、雑貨又は一般衣類、等の物品の上タブ部に使用することができる。
【背景技術】
【０００２】
痴呆症患者が寝間着の袖、フロント、股部などのファスナを勝手に開放して衣服を脱いで不潔行為を行い、介護者を困らせるようなことがよくある。これを防ぐために、衣服の前記個所にロック機能付きファスナを取り付けたものが知られている。たとえば、特開２００５−２３０３５８、特開２００６−１３６５５７、特開２００７−３０１１６５などである。ロック機能付きファスナは、ファスナの終端にたとえばロック付きボタンを設けて、ロックを解除しないとボタンを外したりスライドファスナを降ろしたりすることができないようになっている。
【発明の概要】
【発明が解決しようとする課題】
【０００３】
前記従来技術は、部品数が多いこと、金属部品を多用していること、鍵が必要であること、などの欠点がある。
【０００４】
本発明は、前記従来技術の欠点を解消するために行われたもので、部品数が少なく、金属もほとんど使用せず（使用しても１個所程度）、鍵も必要でない係止機構付きスナップファスナ（以下、単に「スナップファスナ」という場合もある）を提供することを目的とする。
【課題を解決するための手段】
【０００５】
本発明の係止機構付きスナップファスナは、第１生地Ｐ１の表面側に取り付ける操作板４、バネ５、基部６と、前記第１生地Ｐ１の裏面側に取り付ける支持材７とを備えた雌部材２と、第２生地Ｐ２の表面側に取り付ける係合突起８と前記第２生地Ｐ２の裏面側に取り付ける支持材９とを備えた雄部材３を有し、前記操作板４は、不完全に切り抜かれた押圧片４２と、この押圧片４２の下側に設けられた押圧突起４４を有し、前記バネ５は、内側円弧５３が左右に伸び、相互の先端の間に隙間５４を残して終端しており、前記押圧突起４４の押し下げ圧力により、内側円弧の前記隙間５４が拡大され、押し下げ圧力がなくなれば元の形状に復帰するものであり、前記基部６は、前記バネ５を収容する空間を有するものにおいて、前記操作板４、前記バネ５及び前記基部６は、それぞれ合成樹脂により一体成形されており、前記基部６と前記バネ５の間が、前記基部６の突起６５と前記バネ５の挿入空間５７との接触、及び、前記バネ５の外側円弧５１と前記基部６の円筒６１との接触、により位置決めされており、前記操作板４と前記基部６の間が前記操作板４の突起４５と前記基部６の窪み６７の係合により位置決めされており、前記基部６と前記支持材７の間が、前記円筒６１のギザギザ部６６と前記支持材７のギザギザ部７１との係合、により位置決めされており、前記雌部材２と前記雄部材３を係合させるときには、前記操作板４の前記押圧片４２を押し下げつつ、前記雄部材３を前記雌部材２に挿入させ、前記雌部材２と前記雄部材３の係合を解除するときには、前記押圧片４２の押し下げと前記第１生地Ｐ１の持ち上げを同時に行いつつ、前記雌部材２と前記雄部材３を引き離すことを特徴とする。
【０００６】
好ましくは、前記基部６と前記バネ５の間が、一方の突起６５と他方の挿入空間５７、及び、前記バネの外側円弧５１と前記基部円筒６１との接触、により位置決めすることである（請求項２）。
【０００７】
また、前記操作板４と前記基部６の間は一方の突起４５と他方の窪み６７の係合により位置決めするのが好ましい（請求項３）。
【０００８】
前記バネがバネ作用を奏しやすくするため、内側円弧５３の中央付近に切り込み５２が設けることが好ましい（請求項４）。また、同様の理由により、前記バネの内側円弧５３の両先端５３１が上方に向かって外開きとなっていることが好ましい（請求項５）。
【０００９】
本発明は、痴呆症患者用の衣服の他に、上タブ（前記第１生地に相当する）を備えたポケットを有するカバン、雑貨又は一般衣類、等の物品の前記上タブ部に使用することができる（請求項６、７）。
【発明の効果】
【００１２】
請求項１によれば、本発明の係止機構付きスナップファスナは、部品数が雌部材として、操作板、バネ、基部、支持材の４点と、雌部材として、係合突起支持材の２点からなるので、８点程度で済み、金属もほとんど使用せず（使用したとしても雄部材側の支持材１個所程度）、鍵も必要でない。
【００１３】
請求項２によれば、基部と前記バネの間が正確に位置決めされる。
【００１４】
請求項３によれば、操作板と前記基部の間が正確に位置決めされる。
【００１５】
請求項４によれば、内側円弧の中央付近に切り込みを設けているので、バネが機能しやすい。
【００１６】
請求項８によれば、上記特徴を備えた第１生地を提供されるので、この部分を後付けすることができ、既存の一般衣服を痴呆症患者用の衣服等に改修することが可能となる。
【００１７】
請求項９によれば、雌部材２の押圧片４２を押さえながら雌部材２を引き上げる動作をする際、より明確に意識化しなければ出来なくなり、痴呆症患者の不意の動作で外れる可能性が低くなる。
【００１８】
以下、添付の図面に基づき、本発明の実施例を説明する。
【図面の簡単な説明】
【００１９】
【図１】痴呆症患者用の寝間着の正面図であり、本発明の実施例である係止機構付きスナップファスナが使用されている。
【図２】図１のスライドファスナ終端部の拡大図であり、（ａ）はスライドファスナの引手を隠した状態、（ｂ）は引手を露出させた状態を示している。
【図３】前記スナップファスナの展開斜視図である。
【図４】前記スナップファスナの使用方法を示す斜視図である。
【図５】前記スナップファスナにおける雌雄部材の係止解除状態を示すもので、（ａ）は縦断面図、（ｂ）は（ａ）の５ｂ−５ｂ断面図である。
【図６】前記スナップファスナにおける雌雄部材の係止状態を示すもので、（ａ）は縦断面図、（ｂ）は（ａ）の６ｂ−６ｂ断面図である。
【図７】操作板の詳細であり、（ａ）は正面図、（ｂ）は平面図、（ｃ）は右側面図、（ｄ）は（ｂ）における７ｄ−７ｄ断面図、（ｅ）は背面図、（ｆ）は底面図である。
【図８】バネの詳細であり、（ａ）は正面図、（ｂ）は平面図、（ｃ）は右側面図、（ｄ）は（ｂ）における８ｄ−８ｄ断面図、（ｅ）は背面図、（ｆ）は底面図である。
【図９】基部６の詳細であり、（ａ）は正面図、（ｂ）は右側面図、（ｃ）は平面図、（ｄ）は右側面図、（ｅ）は（ｃ）における９ｅ−９ｅ断面図、（ｆ）は背面図、（ｇ）は底面図である。
【図１０】支持板の詳細であり、（ａ）は正面図、（ｂ）は平面図、（ｃ）は右側面図、（ｄ）は（ｂ）における１０ｄ−１０ｄ断面図、（ｅ）は背面図、（ｆ）は底面図である。
【図１１】支持板の詳細であり、（ａ）は正面図、（ｂ）は右側面図、（ｃ）は（ａ）における１２ｃ−１２ｃ断面図、（ｄ）は背面図、（ｅ）は底面図である。
【図１２】係合突起の詳細であり、（ａ）は正面図、（ｂ）は右側面図、（ｃ）は（ａ）における１１ｃ−１１ｃ断面図、（ｄ）は背面図、（ｅ）は底面図である。
【図１３】第１生地の変形例を示す正面図である。
【図１４】図１３における第１生地の断面図である。
【発明を実施するための形態】
【００２０】
図１に示す痴呆症患者用寝間着Ｐにおいて係止機構付きスナップファスナ１はフロントのスライドファスナＳ終端部及び股部のスライドファスナＳ終端部に取り付けられている。
【００２１】
図２（ａ）（ｂ）に示すように、スライドファスナＳの終端であってスライドファスナ閉鎖時に引手Ｈが位置する部分には、一端が固定され他端が持ち上げ可能なめくり片Ｐ１が取り付けられている。このめくり片Ｐ１には係止機構付きスナップファスナ１の雌部材２が固着されている。一方、雌部材２の直下の寝間着本体Ｐ２には、雌部材２と係合可能な雄部材３が固着されている。
【００２２】
図３は、係止機構付きスナップファスナ１の展開斜視図である。全部で６部品からなり、上側４部品がめくり片Ｐ１に固着される雌部材２、下側２部品が寝間着本体Ｐ２に固着される雄部材３である。
【００２３】
＜雌部材＞
まず雌部材２について見ると、上から、操作板４、バネ５、基部６がめくり片の表面に取り付けられ、めくり片生地Ｐ１の下側から支持材７により固定されている。
【００２４】
操作板４は、合成樹脂製であり、図３に斜視図が、図７に部品の詳細が描かれている。全体は円板状であり、平板４１の中央にひょうたん状に不完全に切り抜かれた押圧片４２がある。この押圧片４２の中央部は指がかけやすいようにやや盛り上がった隆起部４３となっており、下側には押圧突起４４が形成されている。平板４１周縁部の下側には４個所で棒状の突起４５が突出している。
【００２５】
バネ５は、合成樹脂製であり、図３に斜視図が、図８に部品の詳細が描かれている。全体は花のつぼみの中央縦断面のようであり、つぼみの花托に当たる外側円弧５１は左右に伸びており、外側円弧５１の中央に小さな切り込み５２が設けられている。その切り込み５２周辺からつぼみの膨らみに当たる内側円弧５３が左右に伸び、相互の先端の間にわずかに隙間５４を残して終端している。相互の先端５３１は、図８（ｆ）に示すように、上方に向かって外開きとなっている。このバネ５は、前記押圧突起４４の押し下げ圧力により、つぼみが花開くように、内側円弧の先端隙間５４が拡大され、押し下げ圧力がなくなれば、花が閉じるように元の（成型時の）形状に戻る。前記切り込み５２はバネ作用を奏しやすくしている。さらに、外側円弧に２本、内側円弧に２本、上方に向かって角柱状の突起５５、５６が突出している。
【００２６】
基部６は、合成樹脂製であり、図３に斜視図が、図９に部品の詳細が描かれている。基部６は、底が抜けた灰皿のような外観であり、円筒６１とリング状の縁部６２を有し、中央が開口部６３となっている。円筒６１の内側底部には、開口縁部６４から突起６５が突出している。円筒６１の外側底部には、嵌合用ギザギザ部６６が設けられている。リング状の縁部６２には４個所の窪み６７が設けられている。
【００２７】
めくり片生地Ｐ１の下側の支持材７は、合成樹脂製であり、図３に斜視図が、図１０に部品の詳細が描かれている。これは単に平板のリング７１である。開口側壁部には嵌合用ギザギザ部７２が設けられている。
【００２８】
これらめくり片Ｐ１の雌部材２の組立状態は図５、図６の断面図に描かれている。ます、バネ５が基部６の中に収納される。そのとき、突起６５がバネ５の切り込み５２に隣接した隙間５７に収まり、基部６におけるバネ５の位置決めをしている。ついで、操作板４の棒状突起４５は基部６の窪み６７と嵌合して一体化されること、及び、バネの外側円弧５１と基部６の円筒６１とが接触することにより、操作板４と基部６が位置決めされている。さらに、めくり片生地Ｐ１を介して基部６と支持材７はギザギザ部６６、７１同士が嵌合する。
【００２９】
＜雄部材＞
次に雄部材を見ると、本体生地の上方に突出する係合突起８と、それを本体生地の下側から支える支持材９からなる。
【００３０】
係合突起８は、合成樹脂製であり、図３に斜視図が、図１１に部品の詳細が描かれている。係合突起８は、根元膨出部８１と、細い首部８２と、先端膨出部８３を有し、中央部が長手方向に貫通孔８４となっている。根元膨出部８１底部には８個の小突起８５があり、生地に食い込んで滑り止めとなる。
【００３１】
支持材９は、合成樹脂製であり、図３に斜視図が、図１２に部品の詳細が描かれている。抜け止め９１付き先端突起９２と基台９４からなる。
【００３２】
これら寝間着側本体の雄部材３の組立状態は図５、図６の断面図に描かれている。本体生地を介して、貫通孔に支持材先端突起が圧入固定される。
【００３３】
＜機能及び操作方法＞
次に図５及び図６に基づき、係止機構付きスナップファスナの機能及び操作方法を説明する。
【００３４】
図５は雌雄部材２，３の係止解除状態である。この状態から（ｂ）の矢印に示すように、操作板４の押圧片４２を指で押し下げると、押圧突起４４がバネ５の内側円弧５３の先端隙間５４が拡大される。すると雄部材３の係合突起８が挿入可能となり、雌雄部材２，３の係合が完成する。図６が雌雄部材の係止状態である。操作板４の押圧片４２から指を離して押し下げるのを止めると、バネの内側円弧５３の先端隙間５４が復旧して狭まり、雄部材３は先端膨出部８３が抜け止めとなって係合が維持される。  
【００３５】
この係合状態から雌雄部材２，３を離すには、たんに押圧片４２を押し下げるだけでは十分でない。押圧片４２から指を離すとすぐにバネ５が復旧してしまうからである。したがって、雌雄部材２，３を離すには、押圧片４２を押し下げながら、めくり片Ｐ１を持ち上げるという作業が必要となる。このように押圧片４２の押し下げとめくり片Ｐ１の持ち上げという作業を同時に行うのは、健常人でも知らなければ試行錯誤を繰り返さなければならない。まして痴呆症患者にとっては至難の業である。
【００３６】
本発明は特許請求の範囲に記載の範囲内でさまざまな修正変更が可能である。
【００３７】
たとえば、図１３，図１４に示すように、めくり片Ｐ１を適宜硬質なプレート１１もしくはパッキンで補強することができる。そうすれば、開放のために雌部材２の押圧片４２を押さえながら雌部材２を引き上げる動作をする際、より明確に意識化しなければ出来なくなり、痴呆症患者の不意の動作で外れる可能性が低くなる。
【００３８】
また、図示しないが、雄部材に関して、雌部材の直下に、たとえば卵形形状の合成皮革のようなパッキンを挟むことができる。そうすれば、雌部材の押圧片４２を押さえながらめくるような動作が行いやすくなり、解除動作が容易になる。その結果、介護用途以外、たとえばバッグ等に使用した場合ひったくり等からの盗難防止機能を確保したまま、使い勝手が向上する。
【先行技術文献】
【特許文献】
【００３９】
【特許文献１】特開２００５−２３０３５８
【特許文献２】特開２００６−１３６５５７
【特許文献３】特開２００７−３０１１６５
【符号の説明】
【００４０】
１     スナップファスナ
１１  硬質プレート
２     雌部材
２     雌部材
３     雄部材
４     操作板
４１   平板
４２   押圧片
４３   隆起部
４４   押圧突起
４５   棒状突起
５     バネ
５１   外側円弧
５３   内側円弧
５３１ 先端
５４   先端隙間
５７   挿入空間
６     基部
６１   円筒
６２   縁部
６３   開口部
６４   開口縁部
６５   突起
６６   嵌合用ギザギザ部
７     支持材
７１   リング
７２   嵌合用ギザギザ部
８     係合突起
８１   根元膨出部
８２   首部
８３   先端膨出部
８４   貫通孔
９     支持材
９２   先端突起
９４   基台
Ｐ    寝間着
Ｐ１   めくり片（第１生地）
Ｐ２   寝間着本体（第２生地）
Ｓ     スライドファスナ
【図１】
0005795855.tif 000002
【図２】
0005795855.tif 000003
【図３】
0005795855.tif 000004
【図４】
0005795855.tif 000005
【図５】
0005795855.tif 000006
【図６】
0005795855.tif 000007
【図７】
0005795855.tif 000008
【図８】
0005795855.tif 000009
【図９】
0005795855.tif 000010
【図１０】
0005795855.tif 000011
【図１１】
0005795855.tif 000012
【図１２】
0005795855.tif 000013
【図１３】
0005795855.tif 000014
【図１４】
0005795855.tif 000015